(57)【要約】【課題】手間を掛けることなく置いた荷物の移動を阻止する自動車のラゲッジ床構造を提供することを目的としている。【解決手段】荷物Ｌを載せ可動手段４０で基板２０とラゲッジプレート１０との間を接近させ、支持突起３０を突出させて荷物の移動を阻止することができ、手間を掛けず簡単に荷物Ｌを搭載し、移動を阻止することができる自動車のラゲッジ床構造を提供することができる。【選択図】  図３
2005297694.tif 000002
【特許請求の範囲】
【請求項１】
多数の貫通孔を有し、荷物を載せるラゲッジプレートと、
該ラゲッジプレートの下側に相互に離接可能に配置される基板と、
前記貫通孔に対応して前記基板に設けられ、前記ラゲッジプレートと前記基板とが接近したときには突出し、離間したときには前記貫通孔に埋没する支持突起と、
前記ラゲッジプレートと前記基板とを離接可能にする可動手段とを有することを特徴とする自動車のラゲッジ床構造。
【請求項２】
請求項１において、前記可動手段は、前記基板を上下させる偏心カムあるいは前記ラゲッジプレートと前記基板との間に介在させ、伸縮可能とする弾性体のいずれか一つであることを特徴とする自動車のラゲッジ床構造。
【請求項３】
請求項２において、前記弾性体は、ゴム体、低反発材体、スポンジ体、皿バネのいずれか一つであることを特徴とする自動車のラゲッジ床構造。
【請求項４】
請求項１〜３のいずれか１項において、前記支持突起の少なくとも頭部は、前記ラゲッジプレートの面摩擦係数よりも高いことを特徴とする自動車のラゲッジ床構造。
【請求項５】
請求項１〜４のいずれか１項において、前記支持突起は、その側面で荷物を支持する剛性を有していることを特徴とする自動車のラゲッジ床構造。
【発明の詳細な説明】
【技術分野】
【０００１】
この発明は、走行中、載せた荷物が移動して騒音を発生したり、他のものとの干渉を起こしたりすることを防止する自動車のラゲッジ床構造に関するものである。
【背景技術】
【０００２】
従来、この種の技術として、特許文献１には、床に車体の前後方向へ延びる荷すべり用突条を設け、ここの任意な場所に出没自在な荷物移動防止用脚を設けた技術が開示されている。また、特許文献２には、床面に係止孔を設け、荷物の大きさや形状に応じてその周囲の適当な係止孔に保持部材を差し込んで荷物の移動阻止をしている技術が開示されている。
【特許文献１】実開昭５８−１０８９３７号公報
【特許文献２】実開昭５８−９９１０３号公報
【発明の開示】
【発明が解決しようとする課題】
【０００３】
しかしながら、このような特許文献１の技術では、荷物を床の上で所望の位置まで移動させるのに都合はいいが、その位置で移動させないため、適当な位置の荷物移動防止用脚を１本１本突出させ固定する様にしていた。
【０００４】
また、特許文献２の技術では、同様に、多くの係止孔から荷物が置かれる周囲の位置の係止孔を選択してそこに保持部材をそれぞれ立てて荷物の移動を阻止していた。
【０００５】
このようなことから、置く荷物の位置を決めてからそれぞれの荷物の周囲にピン状のものを１本１本手で立てていたため、時間を要していた。
【０００６】
そこで、この発明は、上記問題に鑑みて手間を掛けることなく置いた荷物の移動を阻止する自動車のラゲッジ床構造を提供することを目的としている。
【課題を解決するための手段】
【０００７】
この目的を達成するため、請求項１の発明は、多数の貫通孔を有し、荷物を載せるラゲッジプレートと、該ラゲッジプレートの下側に相互に離接可能に配置される基板と、前記貫通孔に対応して前記基板に設けられ、前記ラゲッジプレートと前記基板とが接近したときには突出し、離間したときには前記貫通孔に埋没する支持突起と、前記ラゲッジプレートと前記基板とを離接可能にする可動手段とを有することを特徴とする自動車のラゲッジ床構造としている。
【０００８】
また、請求項２の発明は、請求項１において、前記可動手段は、前記基板を上下させる偏心カムあるいは前記ラゲッジプレートと前記基板との間に介在させ、伸縮可能とする弾性体のいずれか一つであることを特徴とする自動車のラゲッジ床構造としている。
【０００９】
また、請求項３の発明は、請求項２において、前記弾性体は、ゴム体、低反発材体、スポンジ体、皿バネのいずれか一つであることを特徴とする自動車のラゲッジ床構造としている。
【００１０】
また、請求項４の発明は、請求項１〜３のいずれか１項において、前記支持突起の少なくとも頭部は、前記ラゲッジプレートの面摩擦係数よりも高いことを特徴とする自動車のラゲッジ床構造としている。
【００１１】
さらに、請求項５の発明は、請求項１〜４のいずれか１項において、前記支持突起は、その側面で荷物を支持する剛性を有していることを特徴とする自動車のラゲッジ床構造としている。
【発明の効果】
【００１２】
請求項１の発明によれば、荷物を載せ可動手段で基板とラゲッジプレートとの間を接近させ、支持突起を突出させて荷物の移動を阻止することができ、手間を掛けず簡単に荷物を搭載し、移動を阻止することができるラゲッジ床構造を提供することができる。
【００１３】
請求項２の発明によれば、上記請求項１の発明の効用に加え、偏心カムの回動、あるいは弾性体の伸縮という簡単な機構で前記効用を達成することができる。
【００１４】
請求項３の発明によれば、上記請求項１及び２の発明の効用に加え、使用材料によって床全体あるいは部分的に配置して使用できる。
【００１５】
請求項４の発明によれば、上記請求項１〜３の発明の効用に加え、荷物を下から支持する部分のみでも荷物の移動阻止を有効にすることができる。
【００１６】
請求項５の発明によれば、上記請求項１〜４の発明の効用に加え、突出させた支持突起の側面でも荷物の移動阻止をすることができる。
【発明を実施するための最良の形態】
【００１７】
以下、図面に基づいてこの発明を説明する。
【００１８】
図１は、自動車のラゲッジ床構造を示しており、一般に自動車の後部に設けられ、ここではトランクルームでなく、ワンボックスカーの荷台に適用されている。図中１０は、多数の貫通孔１１を有し、荷物Ｌを載せるラゲッジプレートであり、このラゲッジプレート１０の全面に渡ってこの例の様に規則的に、あるいは不規則に多数の孔１１が表裏に貫通して設けられている。
【００１９】
このラゲッジ床構造をより具体的に図１のＡ−Ａで断面して示したものが図２乃至図５
であり、このラゲッジプレート１０の下側には、相互に離接可能に間隔を置いて基板２０が配置されている。図２及び図３では、ラゲッジプレート１０が周囲の枠体１２に支持固定されており、基板２０がラゲッジプレート１０に対して接近しあるいは離間する。一方、図４及び図５では、基板２０が固定されており、ラゲッジプレート１０が上方からの力で基板２０に接近し、力の除去で離間する。
【００２０】
支持突起３０は、基板２０上に、ラゲッジプレート１０の貫通孔１１に対応して設けられ、ラゲッジプレート１０と基板２０とが接近したときには貫通孔１１から突出し、離間したときには貫通孔１１に埋没するようにされている。支持突起３０にこのような動作をさせる、すなわち、ラゲッジプレート１０と基板２０とを離接可能にする可動手段４０がラゲッジ床構造に設けられている。
【００２１】
また、可動手段４０は、回転中心が偏心しており、手動あるいは電動等で回転させ基板２０を上下させる偏心カム４１あるいはラゲッジプレート１０と基板２０との間に介在させ、伸縮可能とする弾性体４３のいずれか一つを採用している。図２及び図３で示す４２は、上下案内手段で枠体１２と共に上下にずれないように案内する。この上下案内手段４２には、ダンパー機構が備えられ、急激な変動に振動を発生させずに対応できる。この上下案内手段４２を油圧装置にすれば、大がかりあるいは動作に時間が掛かる等の問題があるが偏心カム４１を用いず単独で可動手段４０とすることも可能である。
【００２２】
また、弾性体４３は、ゴム体、低反発材体、スポンジ体、皿バネが用いられ、これらのいずれか一つであるかあるいはこれらの組み合わせであっても良い。すなわち、板状体に作られた弾性体４３の場合には、ラゲッジプレート１０に開けられた多数の貫通孔１１に対応した位置と数の孔が設けられている。あるいは、適当な大きさの部分に分け、そこの貫通孔１１に対応した位置に孔が開けられているものであっても良い。皿バネのようなものは、支持突起３０の全部でなくとも、適当な個所の支持突起３０に差し込むように配置しても良い。
【００２３】
また、低反発材体は、図６に示すように、ある荷重をかけたとき、一点鎖線で示すようにすぐに撓み変形を起こすものでなく、実線で示すように時間を掛けて撓み変形を行うもので、例えば低反発ウレタンフォームがある。この商品としては、株式会社イノアックコーポレーション「低反発ウレタンフォームＥＧＲー２」がある。この材料を使うことによって、荷物Ｌをラゲッジプレート１０に載せたとき、瞬時には縮まないので、しばらくの間床面を自在に滑らして任意の位置に容易に置くことができる。
【００２４】
また、これら支持突起３０の少なくとも頭部は、ラゲッジプレート１０の面摩擦係数よりも高くしているので、ラゲッジプレート１０面を自在に滑らした後、突出した支持突起３０の頭部と接触させて荷物Ｌの移動を阻止することができる。
【００２５】
さらに、突出状態の支持突起３０は、横荷重等で千切れることがなく、ある程度の剛性を有しており、その側面で荷物Ｌを支持し、移動を阻止している。
【図面の簡単な説明】
【００２６】
【図１】この発明の自動車のラゲッジ床構造の一例を示す斜視図である。
【図２】偏心カムを可動手段とした図１のＡーＡ断面図である。
【図３】図２において荷物を載せた状態の断面図である。
【図４】弾性体を可動手段とした図１のＡーＡ断面図である。
【図５】図４において荷物を載せた状態の断面図である。
【図６】低反発材体の撓み特性を示す図である。
【符号の説明】
【００２７】
１０                  ラゲッジプレート
１１                  貫通孔
２０                  基板
３０                  支持突起
４０                  可動手段
４１                  偏心カム
４３                  弾性体
【図１】
2005297694.tif 000003
【図２】
2005297694.tif 000004
【図３】
2005297694.tif 000005
【図４】
2005297694.tif 000006
【図５】
2005297694.tif 000007
【図６】
2005297694.tif 000008